(57)【要約】【課題】低速ＰＨＹ構造用のシステム、方法、及び装置を提供することを目的とする。【解決手段】本発明の特定の実施例は、低速度ＰＨＹ構造用のシステム、方法、及び装置を含み得る。本発明の例示的な実施例によれば、低オーバヘッドを有する低速度ＰＨＹ構造を生成する方法が提供される。方法は、１つ又は複数のトレーニング・フィールドを含むプリアンブルを生成する工程と、データ・フィールドを生成する工程と、プリアンブル及びデータ・フィールドを、低速ＰＨＹ構造にグループ化する工程と、ハードウェア伝送媒体を介した無線伝送用に低速ＰＨＹ構造を変換する工程とを含み得る。【選択図】図１
2015173510.tif 000002
【特許請求の範囲】
【請求項１】
無線通信に関連して使用するための装置であって、前記装置は、
プリアンブル及びデータ・フィールドを生成し、かつ／又は送信するためのモデムを備え、
前記プリアンブルは、反復したショート・トレーニング・フィールド及び反復したロング・トレーニング・フィールドを含み、
前記反復したロング・トレーニング・フィールドは、前記プリアンブル内の前記反復したショート・トレーニング・フィールドに続き、
動作中、前記無線通信は、１メガヘルツの帯域幅を有し、直交周波数分割多重を使用し、
前記反復したショート・トレーニング・フィールド及び前記反復したロング・トレーニング・フィールドは前記１メガヘルツの帯域幅における検出を可能にする装置。
【請求項２】
請求項１記載の装置であって、
前記プリアンブル及び前記データ・フィールドはパケット構造内に含まれ、
前記モデムは、無線伝送用の信号に前記パケット構造を変換し、
前記プリアンブル及び前記データ・フィールドは、
２値位相シフト・キーイング又は
直交位相シフト・キーイング
に応じて変調され、
前記プリアンブル及び前記データ・フィールドは１／２の符号化率で符号化され、かつ／又は、
前記データ・フィールドは前記パケット構造において反復する装置。
【請求項３】
請求項１又は２に記載の装置であって、
前記装置は更に、タッチ画面ユーザ・インタフェース・デバイス、センシング・デバイス、及び／又はバッテリを更に備え、かつ／又は、
前記モデムは更に、
少なくとも１つのアンテナ、
無線トランシーバ、及び／又は、
マシンによって実行されると、少なくとも部分的に前記プリアンブル及び前記データ・フィールドを生成させ、かつ／又は送信させるマシン実行可能な命令を記憶するための少なくとも１つのメモリを備える装置。
【請求項４】
無線通信に関連して使用するための装置であって、前記装置は、
プリアンブル及びデータ・フィールドを受信するためのモデムを備え、
前記プリアンブルは、反復したショート・トレーニング・フィールド及び反復したロング・トレーニング・フィールドを含み、
前記反復したロング・トレーニング・フィールドは、前記プリアンブル内の前記反復したショート・トレーニング・フィールドに続き、
動作中、前記無線通信は、１メガヘルツの帯域幅を有し、直交周波数分割多重を使用し、
前記反復したショート・トレーニング・フィールド及び前記反復したロング・トレーニング・フィールドは前記１メガヘルツの帯域幅における検出を可能にする装置。
【請求項５】
請求項４記載の装置であって、
前記プリアンブル及び前記データ・フィールドはパケット構造内に含まれ、
前記モデムは、受信された無線周波数信号を前記パケット構造に変換し、
前記プリアンブル及び前記データ・フィールドは、
２値位相シフト・キーイング又は
直交位相シフト・キーイング
に応じて変調され、
前記プリアンブル及び前記データ・フィールドは１／２の符号化率で符号化され、かつ／又は、
前記データ・フィールドは前記パケット構造において反復する装置。
【請求項６】
請求項４又は５に記載の装置であって、
前記装置は更に、タッチ画面ユーザ・インタフェース・デバイス、センシング・デバイス、及び／又はバッテリを更に備え、かつ／又は、
前記モデムは更に、
少なくとも１つのアンテナ、
無線トランシーバ、及び／又は、
マシンによって実行されると、少なくとも部分的に前記プリアンブル及び前記データ・フィールドを受信させるマシン実行可能な命令を記憶するための少なくとも１つのメモリを備える装置。
【請求項７】
無線通信に関連して使用するための方法であって、前記方法は、
プリアンブル及びデータ・フィールドをモデムにより、生成し、かつ／又は送信する工程を含み、
前記プリアンブルは、反復したショート・トレーニング・フィールド及び反復したロング・トレーニング・フィールドを含み、
前記反復したロング・トレーニング・フィールドは、前記プリアンブル内の前記反復したショート・トレーニング・フィールドに続き、
動作中、前記無線通信は、１メガヘルツの帯域幅を有し、直交周波数分割多重を使用し、
前記反復したショート・トレーニング・フィールド及び前記反復したロング・トレーニング・フィールドは前記１メガヘルツの帯域幅における検出を可能にする方法。
【請求項８】
請求項７記載の方法であって、
前記プリアンブル及び前記データ・フィールドはパケット構造内に含まれ、
前記モデムは、無線伝送用の信号に前記パケット構造を変換し、
前記プリアンブル及び前記データ・フィールドは、
２値位相シフト・キーイング又は
直交位相シフト・キーイング
に応じて変調され、
前記プリアンブル及び前記データ・フィールドは１／２の符号化率で符号化され、かつ／又は、
前記データ・フィールドは前記パケット構造において反復する方法。
【請求項９】
請求項７又は８に記載の方法であって、
前記モデムは更に、
タッチ画面ユ―ザ・インタフェース・デバイス、
センシング・デバイス、
バッテリ、
少なくとも１つのアンテナ、
無線トランシーバ、及び／又は、
マシンによって実行されると、少なくとも部分的に前記プリアンブル及び前記データ・フィールドを生成させ、かつ／又は送信させるマシン実行可能な命令を記憶するための少なくとも１つのメモリを備える方法。
【請求項１０】
無線通信に関連して使用するための方法であって、前記方法は、
プリアンブル及びデータ・フィールドをモデムによって受信する工程を含み、
前記プリアンブルは、反復したショート・トレーニング・フィールド及び反復したロング・トレーニング・フィールドを含み、
前記反復したロング・トレーニング・フィールドは、前記プリアンブル内の前記反復したショート・トレーニング・フィールドに続き、
動作中、前記無線通信は、１メガヘルツの帯域幅を有し、直交周波数分割多重を使用し、
前記反復したショート・トレーニング・フィールド及び前記反復したロング・トレーニング・フィールドは前記１メガヘルツの帯域幅における検出を可能にする方法。
【請求項１１】
請求項１０記載の方法であって、
前記プリアンブル及び前記データ・フィールドはパケット構造内に含まれ、
前記モデムは、受信された無線周波数信号を前記パケット構造に変換し、
前記プリアンブル及び前記データ・フィールドは、
２値位相シフト・キーイング又は
直交位相シフト・キーイングに応じて変調され、
前記プリアンブル及び前記データ・フィールドは１／２の符号化率で符号化され、かつ／又は、
前記データ・フィールドは前記パケット構造において反復する方法。
【請求項１２】
請求項１０又は１１に記載の方法であって、
前記モデムは更に、
タッチ画面ユ―ザ・インタフェース・デバイス、
センシング・デバイス、
バッテリ、
少なくとも１つのアンテナ、
無線トランシーバ、及び／又は、
マシンによって実行されると、少なくとも部分的に前記プリアンブル及び前記データ・フィールドを受信させるマシン実行可能な命令を記憶するための少なくとも１つのメモリを備える方法。
【請求項１３】
マシンによって実行されると、
無線通信において使用するためのプリアンブル及びデータ・フィールドをモデムにより、生成し、かつ／又は送信する工程
を含む処理を行わせるマシン実行可能な命令を記憶する少なくとも１つのメモリであって、
前記プリアンブルは、反復したショート・トレーニング・フィールド及び反復したロング・トレーニング・フィールドを含み、
前記反復したロング・トレーニング・フィールドは、前記プリアンブル内の前記反復したショート・トレーニング・フィールドに続き、
動作中、前記無線通信は、１メガヘルツの帯域幅を有し、直交周波数分割多重を使用し、
前記反復したショート・トレーニング・フィールド及び前記反復したロング・トレーニング・フィールドは前記１メガヘルツの帯域幅における検出を可能にする、少なくとも１つのメモリ。
【請求項１４】
請求項１３記載の少なくとも１つのメモリであって、
前記プリアンブル及び前記データ・フィールドはパケット構造内に含まれ、
前記モデムは、無線伝送用の信号に前記パケット構造を変換し、
前記プリアンブル及び前記データ・フィールドは、
２値位相シフト・キーイング又は
直交位相シフト・キーイングに応じて変調され、
前記プリアンブル及び前記データ・フィールドは１／２の符号化率で符号化され、かつ／又は、
前記データ・フィールドは前記パケット構造において反復する、少なくとも１つのメモリ。
【請求項１５】
請求項１３又は１４に記載の少なくとも１つのメモリであって、
前記モデムは更に、
タッチ画面ユ―ザ・インタフェース・デバイス、
センシング・デバイス、
バッテリ、
少なくとも１つのアンテナ、及び／又は
無線トランシーバを備える、少なくとも１つのメモリ。
【請求項１６】
マシンによって実行されると、
プリアンブル及びデータ・フィールドをモデムにより、無線通信を介して受信する工程
を含む処理を行わせるマシン実行可能な命令を記憶する少なくとも１つのメモリであって、
前記プリアンブルは、反復したショート・トレーニング・フィールド及び反復したロング・トレーニング・フィールドを含み、
前記反復したロング・トレーニング・フィールドは、前記プリアンブル内の前記反復したショート・トレーニング・フィールドに続き、
動作中、前記無線通信は、１メガヘルツの帯域幅を有し、直交周波数分割多重を使用し、
前記反復したショート・トレーニング・フィールド及び前記反復したロング・トレーニング・フィールドは前記１メガヘルツの帯域幅における検出を可能にする、少なくとも１つのメモリ。
【請求項１７】
請求項１６記載の少なくとも１つのメモリであって、
前記プリアンブル及び前記データ・フィールドはパケット構造内に含まれ、
前記モデムは、受信された無線周波数信号を前記パケット構造に変換し、
前記プリアンブル及び前記データ・フィールドは、
２値位相シフト・キーイング又は
直交位相シフト・キーイング
に応じて変調され、
前記プリアンブル及び前記データ・フィールドは１／２の符号化率で符号化され、かつ／又は、
前記データ・フィールドは前記パケット構造において反復する、少なくとも１つのメモリ。
【請求項１８】
請求項１６又は１７に記載の少なくとも１つのメモリであって、
前記モデムは更に、
タッチ画面ユ―ザ・インタフェース・デバイス、
センシング・デバイス、
バッテリ、
少なくとも１つのアンテナ、及び／又は
無線トランシーバを備える、少なくとも１つのメモリ。
【発明の詳細な説明】
【技術分野】
【０００１】
本出願は、その内容全部を参照により、本明細書及び特許請求の範囲に援用する、「Ｍｅｔｈｏｄｓ  ａｎｄ  Ｔｅｃｈｎｉｑｕｅｓ  ｆｏｒ  Ｌｏｗ  Ｒａｔｅ  ＰＨＹ  Ｓｔｒｕｃｔｕｒｅ」と題する、西暦２０１１年８月２４日付け出願の米国特許仮出願第６１／５２６９１７に関する。
【０００２】
本発明は、一般に無線通信システムに関し、具体的には、ワイファイ（登録商標）（Ｗｉ−Ｆｉ）通信における低速ＰＨＹ構造のためのシステム、方法、及び装置に関する。
【背景技術】
【０００３】
物理層は、コンピュータ・ネットワーキングの７層のオープン・システム相互接続（ＯＳＩ）モデルにおける最初でかつ最下位の層であり、西暦２００７年に公表されたＩＥＥＥ８０２．１１標準（ＩＥＥＥ  Ｓｔｄ．  ８０２．１１−２００７）を使用した無線通信の特定の通信基盤を提供する。物理層の実現形態は多くの場合、ＰＨＹと呼ばれる。しかし、物理層自体は、ネットワークの基本ハードウェア伝送技術を含み、どのようにして未処理のビットがネットワークを介して伝送されるかを規定する。ビット・ストリームは、コード・ワード又はシンボルにグループ化し、ハードウェア伝送媒体を介した伝送のために物理信号に変換し得る。物理層は、報知周波数及び変調手法を含む、伝送媒体との電気的、機械的、及び手続的なインタフェースを提供する。
【０００４】
コンピュータの無線接続性は現在、十分に確立されており、ほとんど全ての新たなラップトップはワイファイ（登録商標）（Ｗｉ−Ｆｉ）機能を含んでいる。利用可能な無線ローカル・エリア・ネットワーク（ＷＬＡＮ）ソリューションのうち、多くの場合にワイファイ（登録商標）（Ｗｉ−Ｆｉ）と呼ばれているＩＥＥＥ８０２．１１標準は、デファクト標準となっている。ＩＥＥＥ８０２．１１標準を使用することにより、約５４Ｍｂｐｓのシステム動作速度が一般的であり、ワイファイ（登録商標）は、有線システムと好適に競合することができる。ワイファイ（登録商標）・ホットスポットは、一般的に利用されており、ケーブル接続なしでの通信を可能にする。確立されたＩＥＥＥ８０２．１１の一部は、ラップトップやスマートフォンなどの、一般的な装置の無線接続性を提供し得る。しかし、高帯域通信プロトコルは、制限されたバッテリ容量を有し得、延長された無線リンク距離を必要とし得、又は高いデータ速度で通信する必要がない、バッテリ電源式の小型センサなどの特定の装置のインターネット接続性にとっては理想的でないことがあり得る。
【発明の概要】
【発明が解決しようとする課題】
【０００５】
ＩＥＥＥ８０２．１１ａｈ作業グループは、１ＧＨｚ以下の帯域で動作する直交周波数分割多重（ＯＦＤＭ）システムを提供するために最近、編成されている。ＩＥＥＥ８０２．１１ａｈ作業グループの目標の１つは、（例えば、長距離センサ用の）長距離、低データ速度サービスを含む、特定の基準を充足する新たな機能を有するＩＥＥＥ８０２．１１ｎ／ａｃシステムを再使用することである。したがって、約１乃至１６ＭＨｚの帯域を有するシステムが、ＩＥＥＥ８０２．１１ａｈに使用するために検討されている。前述の帯域は、ＩＥＥＥ８０２．１１ａｃシステムのダウンクロックを行うことによって提供し得る。しかし、ＩＥＥＥ８０２．１１ａｃＰＨＹ構造に対する更なる修正なしで、サービスを提供するための要件の全てを充足し得る訳でない。
【課題を解決するための手段】
【０００６】
次に、必ずしも縮尺通りに描かれている訳でない添付の図及びフロー図を参照する。
【図面の簡単な説明】
【０００７】
【図１】８０２．１１ａｃＰＨＹペイロードを示すブロック図である。
【図２】本発明の例示的な実施例による、例証的な低速ＰＨＹのプリアンブル及びペイロードを示すブロック図である。
【図３】８０２．１１ａｃ  Ｌ−ＳＩＧフィールドを示すブロック図である。
【図４】本発明の例示的な実施例による、２値位相シフト・キーイング（ＢＰＳＫ）変調符号化手法の反復したＬ−ＳＴＦフィールド及びＬ−ＬＴＦフィールドを例示するブロック図である。
【図５】本発明の例示的な実施例による、直交位相シフト・キーイング（ＱＰＳＫ）符号化手法の反復したＬ−ＳＴＦフィールド及びＬ−ＬＴＦフィールドを例示するブロック図である。
【図６】本発明の例示的な実施例による、ＢＰＳＫの低速ＰＨＹの例示的なパケット構造を示す図である。
【図７】本発明の例示的な実施例による、ＱＰＳＫの低速ＰＨＹの例示的なパケット構造を示す図である。
【図８】本発明の例示的な実施例による、低速ＰＨＹトランシーバ及び通信システムを示すブロック図である。
【図９】本発明の例示的な実施例による、例示的な方法を示すフロー図である。
【発明を実施するための形態】
【０００８】
本発明の実施例は、本発明の実施例を示す添付図面を参照して更に詳細に後述する。しかし、本発明は、別々の多くの形態で実施し得、本明細書及び特許請求の範囲に記載された実施例に限定されるものと解されるべきでない。むしろ、本開示が詳細かつ完全であり、当業者に対して本発明の範囲を詳細に伝えるように前述の実施例を記載している。
【０００９】
以下の説明では、特定の数多くの詳細を記載している。しかし、本発明の実施例は、前述の特定の詳細なしで実施し得るものとする。場合によっては、周知の方法、構造、及び手法は、本願の説明の理解をわかりにくくすることのないように、詳細に示していない。「一実施例」、「実施例」、「例示的な実施例」、「種々の実施例」等への言及は、記載された本発明の実施例が特定の特徴、構造、又は特性を含み得るが、全ての実施例が必ずしも、特定の特徴、構造、又は特性を含んでいる訳でないということを示す。更に、「一実施例における」との句の反復した使用は同じ実施例を必ずしも表す訳でないが、同じ実施例を表す場合もある。
【００１０】
本明細書及び特許請求の範囲では、別途明記しない限り、共通の対象を表すための、順序を示す形容詞である「第１の」、「第２の」、「第３の」等の使用は、同様な対象の別々のインスタンスが参照されているということを示しているに過ぎず、そのように記載された対象が、ランキングで時間的に、空間的に、又は何れかの他の態様で特定の順序になっていなければならないことを示唆することを意図するものでない。
【００１１】
本発明の特定の実施例は、低速ＰＨＹ構造用のシステム、方法、及び装置を含み得る。本発明の例示的な実施例によれば、低オーバヘッドを有する低速ＰＨＹ構造を生成する方法が提供される。方法は、１つ又は複数のトレーニング・フィールドを含むプリアンブルを生成する工程と、データ・フィールドを生成する工程と、プリアンブル及びデータ・フィールドを、ＩＥＥＥ８０２．１１ａｃＰＨＹ構造と互換の低速ＰＨＹ構造にグループ化する工程と、ハードウェア伝送媒体を介した無線伝送用に低速ＰＨＹ構造を変換する工程とを含み得る。
【００１２】
本発明の例示的な実施例によれば、システムを提供する。システムは、１つ又は複数のセンシング装置若しくは情報装置と、１つ又は複数のアンテナと、データ及びコンピュータ実行可能な命令を記憶するための少なくとも１つのメモリと、少なくとも１つのメモリ及び１つ又は複数のセンシング装置若しくは情報装置、及び１つ又は複数のセンシング装置若しくは情報装置にアクセスするよう構成された少なくとも１つのプロセッサとを含み得る。少なくとも１つのプロセッサは、１つ又は複数のトレーニング・フィールドを含むプリアンブルを生成し、１つ又は複数のセンシング装置若しくは情報装置に関連付けられた情報を含むデータ・フィールドを生成し、プリアンブル及びデータ・フィールドを低速ＰＨＹ構造にグループ化し、ハードウェア伝送媒体を介した無線伝送用に低速ＰＨＹ構造を物理信号に変換するためのコンピュータ実行可能な命令を実行するよう更に構成され、ハードウェア伝送媒体が１つ又は複数のアンテナのうちの少なくとも１つを含む。
【００１３】
例示的な実施例はアンテナを含み得る。装置は、データ及びコンピュータ実行可能な命令を記憶するための少なくとも１つのメモリと、少なくとも１つのメモリにアクセスするよう構成された少なくとも１つのプロセッサとを含み得る。少なくとも１つのプロセッサは、１つ又は複数のトレーニング・フィールドを含むプリアンブルを生成し、１つ又は複数のセンシング装置若しくは情報装置に関連付けられた情報を含むデータ・フィールドを生成し、プリアンブル及びデータ・フィールドを低速ＰＨＹ構造にグループ化し、ハードウェア伝送媒体を介した無線伝送用に低速ＰＨＹ構造を物理信号に変換するためのコンピュータ実行可能な命令を実行するよう更に構成される。
【００１４】
本発明の特定の実施例は、特定の無線通信プロトコルに関連付けられた受信及び検出のために、オープン・システム相互接続モデル（ＯＳＩモデル）内の新たな物理層実現（ＰＨＹ）構造をイネーブルし得る。例示的な実施例により、例えば、インターネットに対する長距離センサの無線接続において使用するための、特定の増加距離の要件に対応し得る。例示的な実施例により、例えば、バッテリを電源とする装置との無線通信のための低減された電力の要件に対応し得る。例示的な実施例によれば、ＩＥＥＥ８０２．１１ａｈに関連付けられた特定の要件の目標に対応し得る。例示的な実施例は、ＩＥＥＥ８０２．１１ａｈ技術仕様の長距離部分の新たなプリアンブル構造を含み得る。例示的な実施例は、特定のハードウェアの再使用又は再目的化を可能にし得る。
【００１５】
例示的な実施例は、より低いクロック速度を供給するようＩＥＥＥ８０２．１１ａｃＰＨＹを修正し得る。しかし、ＩＥＥＥ８０２．１１ａｃ技術仕様によれば、ＰＨＹ構造は、より長い距離における装置を検知するために十分長いプリアンブルを含まないことがあり得る。ペイロードのデータ部分を単純に繰り返しても、受信器が適切に機能することを可能にしないことがあり得る。プリアンブルが、高品質の獲得、タイミング、及びチャネル推定のために十分長くないことがあり得るからである。（符号分割多元アクセスなどの）スペクトラム拡散技術を使用することにより、より低いクロック速度において、獲得、タイミング、及びチャネル推定に対する特定の便益が提供され得るが、前述の技術は、異なるＰＨＹを必要とし得、ＩＥＥＥ８０２．１ａｈの他のモードに要求され得るＯＦＤＭハードウェアの完全な再使用を可能にしないことがあり得る。
【００１６】
例示的な実施例によれば、プリアンブル構造が、ＩＥＥＥ８０２．１１ａｈシステムの（低速ＰＨＹとしても表される）長距離部分について生成される。例示的な実施例は、ペイロードのデータ部分における反復に加えて、ペイロードの十分な検出及び受信を可能にし得る。ペイロードは、ハードウェアの再使用を可能にするためにＯＦＤＭ信号を使用し得る。更に、構造は、ハードウェアの更なる再使用をプリアンブルが可能にする更なるオプションを含み得る。
【００１７】
受信器を構成するか、又はプリアンブル部分においてペイロード構造を伝達するために使用し得るデータは、長距離信号において多くのオーバヘッドをもたらし得る。これは、長距離信号が、許容可能な検出確率を可能にするためにデータの反復を必要とし得るからである。よって、受信器にペイロードの内容を知らせるために必要なシグナリングの如何なる削減も、システム性能全体に有益であり得る。例示的な実施例によれば、プリアンブルに関連付けられたオーバヘッドを最小にし得る。
【００１８】
例として、１／８のダウンクロッキングを有するＩＥＥＥ８０２．１１ａｈシステムが、要求される検出確率を満たすために、反復係数が４になることを必要とする場合、４＊８＝３２を呈するレガシー信号フィールド（Ｌ−ＳＩＧ）は、４倍の長さ（４＊３２＝１２８ｓ）を必要とする。
【実施例】
【００１９】
図１は、ＩＥＥＥ８０２．１１ａｃシステムのペイロード１００を示す。プリアンブルが、レガシー・ショート・トレーニング・フィールド（Ｌ−ＳＴＦ）１０２と、レガシー・ロング・トレーニング・フィールド（Ｌ−ＬＴＦ）１０４と、レガシー信号フィールド（Ｌ−ＳＩＧ）１０６と、非常に高いスループットの信号のフィールドＡ（ＶＨＴ−ＳＩＧ−Ａ）１０８と、非常に高いスループットのショート・トレーニング・フィールド（ＶＨＴ−ＳＴＦ）１１０と、非常に高いスループットのロング・トレーニング・フィールド（ＶＨＴ−ＬＴＦ）１１２と、非常に高いスループットの信号のフィールドＢ（ＶＨＴ−ＳＩＧ−Ｂ）１１４と、それに続くデータ１１６とを含むということが分かり得る。図１に示すようなＩＥＥＥ８０２．１１ａｃシステムが、８０２．１１ａｈ帯域要件を充足するようダウンクロッキングされた場合、低速ＰＨＹのオーバヘッドは、Ｌ−ＳＩＧ１０６、ＶＨＴ−ＳＩＧ−Ａ１０８、ＶＨＴ−ＳＴＦ１１０、ＶＨＦ−ＬＴＦ１１２、及びＶＨＴ−ＳＩＧ−Ｂ１１４となる。例示的な実施例では、（ＩＥＥＥ８０２．１１ａｃシステムでは２４ｓを要し得る）前述のオーバヘッドは、ＩＥＥＥ８０２．１１ａｈシステムにおける使用には不必要であり得る。例として、ＩＥＥＥ８０２．１１ａｈシステムの帯域要件に合わせるために、ＩＥＥＥ８０２．１ａｃシステムが１／８だけダウンクロックされていた場合、前述のオーバヘッドに関連付けられたのは１５２ｓになる。更に、なお多くの時間が必要であり得る。長距離における検出が、低速ＰＨＹ部分について必要であり得るからである。検出要件を充足するために４ｘの反復を仮定した場合、合計オーバヘッドは１５２＊４＝６０８ｓになり得る。単純にダウンクロッキングされたＩＥＥＥ８０２．１１ａｃシステムと比較して、オーバヘッドにおけるかなりの削減を本発明の例示的な実施例によって達成し得る。更に、Ｌ−ＳＩＧ１０６後にフィールドを除外するようＩＥＥＥ８０２．１１ａｃシステムが修正された場合、本発明の例示的な実施例において４＊８＊４＝１２８ｓの削減という更なる効果を実現し得る。
【００２０】
本発明の特定の例示的な局面によれば、低速ＰＨＹは、２値位相シフト・キーイング（ＢＰＳＫ）変調符号化手法及び直交位相シフト・キーイング（ＱＰＳＫ）変調手法又は変調速度の単一ストリームのサポートを提供し得、動作の範囲を拡張し得る。例示的な実施例によれば、Ｌ−ＳＩＧ１０６後のオーバヘッド・フィールドは必要がないことがあり得る。例示的な実施例によれば、Ｌ−ＳＩＧ１０６フィールドも割愛し得る。
【００２１】
図２は、例示的な実施例による低速ＰＨＹプリアンブル２００を表す。例示的な実施例では、低速ＰＨＹプリアンブル２００は、低速ショート・トレーニング・フィールド（ＬＲ−ＳＴＦ）２０２と、これに続く低速ロング・トレーニング・フィールド（ＬＲ−ＬＴＦ）２０４と、更にこれに続くデータ２０６とを含み得る。例示的な実施例によれば、信号フィールドも、信号フィールドも、更なるトレーニング・フィールドも、必要でないことがあり得る。例示的な実施例によれば、更なるトレーニング・フィールドが必要でないことがあり得る。低速ＰＨＹの場合、マルチストリーム伝送の必要がないことがあり得るからである。
【００２２】
図３は、（図１の１０６にも対応し得る）Ｌ−ＳＩＧフィールド３００の割り当てを表す。Ｌ−ＳＩＧ３００は、速度フィールド３０２と、予約済フィールド３０４と、長さフィールド３０６と、パリティ・ビット３０８と、信号テール・ビット３１０とを含む。例示的な実施例によれば、（上述のような）プリアンブルのオーバヘッドからＬ−ＳＩＧ３００を除外するために、前述の情報は他の手段により（、例えば、図２に示すようなＬＲ−ＳＴＦ２０２、ＬＲ−ＬＴＦ２０４、又はデータ２０６のフィールドにより）、受信器に伝達し得る。例示的な実施例によれば、速度フィールド３０２は、例示的な実施例によれば、低速ＰＨＹに使用される２つの変調手法のみであり得るＢＰＳＫ又はＱＰＳＫを表すために１ビットで置き換えるか、又は１ビットで表し得る。例示的な実施例では、前述の情報は、他の手段により（、例えば、図２に示すようなＬＲ−ＳＴＦ２０２、ＬＲ−ＬＴＦ２０４、又はデータ２０６のフィールドにより）、受信器に伝達し得る。例示的な実施例によれば、速度フィールド３０２の表現による、変調手法の表示は不必要であり得、割愛又は除外し得る。
【００２３】
例示的な実施例によれば、Ｌ−ＳＩＧフィールドが必要でない場合、予約済ビット３０４も必要でない。例示的な実施例によれば、長さフィールド３０６において提供される情報は必要であり得る。電波から離れるよう他の装置に伝えるために使用し得るからである。例示的な実施例によれば、長さフィールド３０６の情報は、ペイロードのデータ・フィールド部分（例えば、図２の２０６）において伝達し得る。例示的な実施例では、データ・フィールドを使用した前述の伝達は正当化し得る。低データ速度のセンサ・アプリケーションでは、２つの装置がアウェイク状態にあり、同時に電波を送受信している確率は極めて少なく、例えば、０.０１％程度である。例示的な実施例によれば、低速ＰＨＹの実施例が利用される可能性が高いセンサは、極めて低いデューティ・サイクルを有する非常に低電力の装置である。送信する対象の小データ・バーストを有する多く（数百程度）のセンサによっても、同時に２つの装置がアウェイク状態にある可能性が非常に低い。例示的な実施例によれば、他の装置には伝送が判らないことがあり得るので、延期情報のための、Ｌ−ＩＳＧ中の長さフィールドが必要でないことがあり得る。
【００２４】
再び、図３を参照し続けるに、信号フィールドがない場合、パリティ・ビット３０８は必要ないことがあり得る。最後に、符号化器のフラッシングを行うために通常、６ビットが必要な信号テール３１０は、Ｌ−ＳＩＧフィールドとともに送信される情報がない場合、不必要であり得る。
【００２５】
例示的な実施例によれば、特定のレガシー・フィールドは、特定のシグナリングの場合に新たな低速度ＰＨＹにおいて保持される必要がある情報を含み得る。例えば、変調及び符号化手法（ＭＣＳ）シグナリング及びデータ・レート・シグナリングは、新たなＰＨＹ構造において伝達する必要があり得る。例示的な実施例によれば、低速ＰＨＹは、２つのＭＣＳ（すなわち、ＢＰＳＫ及びＱＰＳＫ。何れも符号化率１／２を使用）を伝達する必要があり得るに過ぎない。よって、例示的な実施例によれば、２つのモードのみを検出し、又は受信器に通知する必要があり得る。例示的な実施例によれば、現在のＩＥＥＥ８０２．１１ａｃフィールドはできる限り再使用し得る。例示的な実施例によれば、ＬＲ−ＬＴＦ及び／又はＬＲ−ＳＴＦの反復に、オーバレイ系列が必要であり得る。例えば、低速モードの距離要件が、４個の反復が必要なようなものである場合、例示的な実施例により、ＢＰＳＫモードはＬ−ＬＴＦを反復し、４つのＬ−ＬＴＦ系列を送出し得る。同様に、例示的な実施例によれば、ＢＰＳＫモードは、Ｌ−ＳＴＦを反復し、４つのＬ−ＬＴＦ系列を反復し得る。本実施例の例を図４に表す。
【００２６】
ＱＰＳＫモードの場合に、かつ、例示的な実施例によれば、系列は反復したＬ−ＬＴＦ及びＬ−ＳＴＦを含み得るが、距離要件を充足するための４ｘの反復は、Ｌ−ＬＴＦ５０２の１つおきの反復をネゲートすることにより、系列を交互にする工程を含み得る。本例示的な実施例は図５に表す。このようにして、系列全体の受信器における積分により、受信器が相関化している系列に応じて変調（ＢＰＳＫ又はＱＰＳＫ）のうちの一方がゼロになり得る。
【００２７】
例示的な実施例によれば、ＬＲ−ＬＴＦが処理されると、受信器は、その場合、パケットのペイロード部分において使用された変調の知識を有し得る。これにより、Ｌ−ＳＩＧフィールドの必要がなくなり得、この例では、かなりのオーバヘッドが除外され得る。上述の通り、ペイロードのデータ部分は、長さのための情報を含み得る。この手法は、Ｌ−ＬＴＦフィールド及びＬ−ＳＴＦフィールドを再使用することにより、ＩＥＥＥ８０２．１１ａｃ受信器のブロックを再使用する。
【００２８】
図６及び図７は、本発明の例示的な実施例による、ＢＰＳＫ及びＱＰＳＫそれぞれの低速ＰＨＹの例示的なパケット構造を表す。前述の例示的な実施例では、低速ＰＨＹパケット構造は、ＬＲ−ＳＴＦフィールドを構成するために、反復したＬ−ＳＴＦフィールドを含み得る。図６に示すＢＰＳＫの実施例の場合、ＬＲ−ＬＴＦフィールドは、反復したＬ−ＬＴＦフィールドを含み得る。図７に示すＱＰＳＫの実施例の場合、上述のようにＬ−ＬＴＦフィールドを交互にネゲートし得る。例示的な実施例によれば、Ｌ−ＬＴＦフィールドを交互にネゲートすることにより、符号化手法をシグナリングするためにオーバヘッドを使用する必要なしで相関により、変調符号化手法を受信器が判定することが可能になり得る。
【００２９】
別の例示的な実施例によれば、変調のシグナリングを可能にするためにＬ−ＬＴＦについて新たな信号を規定することが可能である。前述の波形はＰＮ−符号（直交しているか、又はほぼ直交している２つの符号が、変調毎に１つ、使用される）であり得る。この場合に、かつ、例示的な実施例によるに、別々の２つの符号との相関をとることによって実現し得る。
【００３０】
もう一度、図４乃至図７を参照するに、かつ、例示的実施例によるに、Ｌ−ＳＴＦ及び／又はＬ−ＬＴＦフィールドは、単一のインスタンスを含むか、又は、距離要件を充足するために必要に応じて反復し得る。
【００３１】
図８は、本発明の例示的な実施例による、低速ＰＨＹトランシーバ及び通信システム８００のブロック図を表す。例示的な実施例では、システム８００は、無線ネットワーク８２４に関連付けられた他のモデム／トランシーバ８２６、８２８のうちで、又は、無線ネットワーク８２４を介して直接、アクセス・ポイント８３０と無線で通信するために利用し得る。
【００３２】
例示的な実施例によれば、システム８００は、センシング装置又は情報装置８２２からの入力を供給し得るモデム８０２を含み得、入出力８０８を介して、又は無線周波数トランシーバ８１０を介して出力情報を供給し得る。例示的な実施例によれば、センシング装置又は情報装置８２２は、コンピュータ、ラップトップ、スイッチ、検出器、数多くのセンサ・タイプ等を含み得る。例示的な実施例によれば、無線周波数トランシーバ８１０は１つ又は複数の内部アンテナに接続し得る。例示的な実施例によれば、無線周波数トランシーバ８１０は１つ又は複数の外部アンテナ（例示的な実施例によれば、モデム８０２の一体的な構成部分とみなすこともみなさないこともあり得る）に接続し得る。
【００３３】
例示的な実施例によれば、システム８００のモデム８０２は、センシング装置又は情報装置８２２から無線ネットワーク８２４における他のモデム／トランシーバ８２６、８２８、又はアクセス・ポイント８３０に情報を通信することに関連付けられた基本機能を行い得る。例示的な実施例によれば、モデム８０２は、メモリ８０４、プロセッサ８０６、入出力ポート８０８、及び無線周波数トランシーバ８１０を含み得る。例示的な実施例によれば、メモリ８０４は、オペレーティング・システム８１２又はマイクロプロセッサ読み取り可能な命令を含み得る。例示的な実施例では、メモリ８０４はデータ８１４を含み、処理し得る。例示的な実施例によれば、メモリはバッファ８１８を含み得る。特定の例示的な実施例によれば、メモリ８０４の少なくとも一部分をサンプラ８１６として利用し得る。例示的な実施例では、サンプリングがハードウェア関連であると見なし得、プロセッサ８０６によって処理されるものとみなし得る。例示的な実施例では、メモリ８０４はＰＨＹ構造８２０専用の部分を含み得る。例示的な実施例では、ＰＨＹ構造８２０はプロセッサ８０６によって処理し得る。
【００３４】
低オーバヘッドを有する低速ＰＨＹ構造を生成するための例示的な方法９００を次に図９のフロー図を参照して説明する。方法９００は、ブロック９０２から始まり、例示的な実施例によれば、１つ又は複数のトレーニング・フィールドを含むプリアンブルを生成する工程を含む。ブロック９０４では、方法９００はデータ・フィールドを生成する工程を含む。ブロック９０６では、方法９００は、プリアンブル及びデータ・フィールドを低速ＰＨＹ構造にグループ化する工程を含む。ブロック９０８では、方法９００は、ハードウェア伝送媒体を介した無線伝送のために低速ＰＨＹ構造を物理信号に変換する工程を含む。方法９００はブロック９０８後に終了する。
【００３５】
例示的な実施例によれば、１つ又は複数のトレーニング・フィールドを生成する工程は低速ショート・トレーニング・フィールド（ＬＲ−ＳＴＦ）を生成する工程を含み、ＬＲ−ＳＴＦは少なくとも１つのレガシー・ショート・トレーニング・フィールド（Ｌ−ＳＴＦ）、及びＬ−ＳＴＦの１つ又は複数の反復を含み、Ｌ−ＳＴＦの反復の数は、ハードウェア伝送媒体の距離又は感度の要件に対応する。例示的な実施例によれば、１つ又は複数のトレーニング・フィールドは低速ロング・トレーニング・フィールド（ＬＲ−ＬＴＦ）を生成する工程を含み、ＬＲ−ＬＴＦは少なくとも１つのレガシー・ロング・トレーニング・フィールド（Ｌ−ＬＴＦ）、及びＬ−ＬＴＦの１つ又は複数の反復を含み、Ｌ−ＬＴＦの反復の数は、ハードウェア伝送媒体の距離又は感度の要件に対応する。例示的な実施例によれば、プリアンブル及びデータ・フィールドのグループ化により、ＩＥＥＥ８０２．１１ａｈのＰＨＹ構造と互換の低速ＰＨＹ構造がもたらされる。例示的な実施例によれば、データ・フィールドを生成する工程は、データ・フィールドにおける長さフィールド情報を伝達する工程を含む。例示的な実施例によれば、プリアンブル及びデータ・フィールドを低速ＰＨＹ構造にグループ化する工程は、１つ又は複数の変調符号化手法をプリアンブルに符号化する工程を含み、変調符号化手法は、２値位相シフト・キーイング（ＢＰＳＫ）又は直交位相シフト・キーイング（ＱＰＳＫ）の１つ又は複数を含み、１つ又は複数の変調符号化手法をプリアンブルに符号化する工程は、交互の１つ又は複数のＬ−ＬＴＦフィールドを選択的にネゲートする工程を含み得る。
【００３６】
例示的な実施例は、ＩＥＥＥ８０２．１１ｎ／ａｃ／ａ／ｇの技術仕様に関係し得るが、別個の周波数上で動作し得る。例示的な実施例は、ＩＥＥＥ８０２．１１ａｃの技術仕様に基づいたシステムを利用して低速ＰＨＹを処理し得る。
【００３７】
低速ＰＨＹ構造の例示的な実施例は、ＳＴＦ、ＬＴＦ、及びデータを含み得る低速ＰＨＹパケットを含み得る。例えば、ＰＨＹ構造は、伝送のためのＰＨＹ層パケットの生成であり得る。
【００３８】
例示的な実施例はシステム及び装置を含む。例示的な実施例によれば、システムは１つ又は複数のセンシング装置若しくは情報装置と、１つ又は複数のアンテナとを含み得る。例示的な実施例では、システム及び装置は、データ及びコンピュータ実行可能な命令を記憶するための少なくとも１つのメモリと、１つ又は複数のセンシング装置若しくは情報装置及び少なくとも１つのメモリにアクセスするよう構成された少なくとも１つのプロセッサとを含み得、１つ又は複数のトレーニング・フィールドを含むプリアンブルを生成し、１つ又は複数のセンシング装置若しくは情報装置に関連付けられた情報を含むデータ・フィールドを生成し、プリアンブル及びデータ・フィールドをＩＥＥＥ８０２．１１ａｃＰＨＹ構造と互換の低速ＰＨＹ構造にグループ化し、ハードウェア伝送媒体を介した無線伝送のために低速ＰＨＹ構造を物理信号に変換するためのコンピュータ実行可能な命令を実行するよう更に構成し得る。特定の例示的な実施例によれば、ハードウェア伝送媒体は１つ又は複数のアンテナのうちの少なくとも１つを含み得る。
【００３９】
例示的な実施例によれば、１つ又は複数のトレーニング・フィールドは低速ショート・トレーニング・フィールド（ＬＲ−ＳＴＦ）を含み得、ＬＲ−ＳＴＦは少なくとも１つのレガシー・ショート・トレーニング・フィールド（Ｌ−ＳＴＦ）、及びＬ−ＳＴＦの１つ又は複数の反復を含み得、Ｌ−ＳＴＦの反復の数は、ハードウェア伝送媒体の距離又は感度の要件に対応する。例示的な実施例によれば、１つ又は複数のトレーニング・フィールドは低速ロング・トレーニング・フィールド（ＬＲ−ＬＴＦ）を含み得、ＬＲ−ＬＴＦは少なくとも１つのレガシー・ロング・トレーニング・フィールド（Ｌ−ＬＴＦ）、及びＬ−ＬＴＦの１つ又は複数の反復を含み得、Ｌ−ＬＴＦの反復の数は、ハードウェア伝送媒体の距離又は感度の要件に対応する。例示的な実施例によれば、データ・フィールドは長さフィールド情報を含み得る。例示的な実施例によれば、プリアンブルは１つ又は複数の変調符号化手法を含み得、変調符号化手法は、２値位相シフト・キーイング（ＢＰＳＫ）又は直交位相シフト・キーイング（ＱＰＳＫ）のうちの１つ若しくは複数を含む。例示的な実施例によれば、１つ又は複数の変調符号化手法は、交互の１つ又は複数のＬ−ＬＴＦフィールドを選択的にネゲートすることにより、プリアンブルに符号化し得る。
【００４０】
例示的な実施例によれば、長距離センサを無線ネットワークに接続することにより、無線通信の長距離化を可能にし得る特定のシステム及び方法をもたらすなどの特定の技術的効果をもたらし得る。本発明の例示的な実施例は、無線ネットワークに接続された装置の電力要件を低減させるためのシステム及び方法をもたらす更なる技術的効果をもたらし得る。
【００４１】
本発明の例示的な実施例では、低速ＰＨＹトランシーバ及び通信システム８００は、動作の何れかを容易にするよう実行される何れかの数のハードウェア及び／又はソフトウェア・アプリケーションを含み得る。例示的な実施例では、１つ又は複数の入出力インタフェースは、低速ＰＨＹトランシーバ及び通信システム８００と、１つ又は複数の入出力装置との間の通信を容易にし得る。例えば、ユニバーサル・シリアル・バス・ポート、シリアル・ポート、ディスク・ドライブ、ＣＲ−ＲＯＭドライブ、及び／又は、１つ若しくは複数のユーザ・インタフェース装置（ディスプレイ、キーボード、キーパッド、マウス、制御パネル、タッチ画面ディスプレイ、マイクロフォン等）は、低速ＰＨＹトランシーバ及び通信システム８００とのユーザ相互作用を容易にし得る。多種多様な入力装置からのデータ及び／又はユーザ命令を受信又は収集するために１つ又は複数の入出力インタフェースを利用し得る。受信データは、本発明の種々の実施例において、必要に応じて、１つ又は複数のコンピュータ・プロセッサによって処理し、かつ／又は、１つ又は複数のメモリ装置に記憶し得る。
【００４２】
１つ又は複数のネットワーク・インタフェースは、１つ又は複数の適切なネットワーク及び／若しくは接続（例えば、システムに関連付けられた何れかの数のセンサとの通信を容易にする接続）への、低速ＰＨＹトランシーバ及び通信システム８００の入出力の接続を容易にし得る。１つ又は複数のネットワーク・インタフェースは更に、外部装置及び／又はシステムと通信するために、１つ又は複数の適切なネットワーク（例えば、ローカル・エリア・ネットワーク、広域ネットワーク、インターネット、セルラ・ネットワーク、無線周波数ネットワーク、ブルートゥース（登録商標）（Ｔｅｌｅｆｏｎａｋｔｉｅｂｏｌａｇｅｔ  ＬＭ  Ｅｒｉｃｓｓｏｎ社による）対応ネットワーク、（ＷｉＦｉＡｌｌｉａｎｃｅによって所有されている）ワイファイ（登録商標）対応ネットワーク、衛星ベースのネットワーク、何れかの有線ネットワーク、何れかの無線ネットワーク等）への接続を容易にし得る。
【００４３】
必要に応じて、本発明の実施例は、概ね、図８に示す構成部分を有する低速ＰＨＹトランシーバ及び通信システム８００を含み得る。
【００４４】
本発明の特定の実施例は、本発明の例示的な実施例による、システム及び方法、並びに／又はコンピュータ・プログラム・プロダクトのブロック及びフロー図を参照して上述している。ブロック図及びフロー図のうちの１つ又は複数のブロックと、ブロック図及びフロー図におけるブロックの組み合わせは、コンピュータ実行可能なプログラム命令によって実現し得る。同様に、ブロック図及びフロー図のうちの一部のブロックは、本発明の一部の実施例によれば、必ずしも、行わなくてよいことがあり得るか、又は、必ずしも、提示された順序で行わなくてよいことがあり得る。
【００４５】
前述のコンピュータ実行可能なプログラム命令は、コンピュータ上、プロセッサ上、又は他のプログラム可能なデータ処理装置上で実行する命令がフロー図のブロックに規定された１つ又は複数の機能を実現するための手段を作成するように特定のマシンを生成するために汎用コンピュータ、特殊用途向コンピュータ、プロセッサ、又は他のプログラム可能なデータ処理装置にロードし得る。コンピュータ又は他のプログラム可能なデータ処理装置が、コンピュータ読み取り可能なメモリがフロー図のブロックにおいて規定された１つ又は複数の機能を実現する命令手段を含む製造物品を生成するように特定の態様で機能するよう指令し得る前述のコンピュータ・プログラム命令もコンピュータ読み取り可能なメモリに記憶し得る。例として、本発明の実施例は、コンピュータ読み取り可能なプログラム・コード又はプログラム命令を実施させたコンピュータ使用可能な媒体を含むコンピュータ・プログラム・プロダクトに対応し得、コンピュータ読み取り可能なプログラム・コードは、フロー図のブロックに規定された１つ又は複数の機能を実現するために実行されるよう適合される。コンピュータ・プログラム命令は更に、コンピュータ上又は他のプログラム可能なデータ処理装置上にロードして、コンピュータ上又は他のプログラム可能な装置上で実行する命令が、フロー図のブロックに規定された機能を実現するための構成要素又は構成工程をもたらすようにコンピュータ実現処理を生成するために一連の動作要素又は工程をコンピュータ上又は他のプログラム可能な装置上で行わせ得る。
【００４６】
よって、ブロック図及びフロー図のブロックは、特定の機能を行うためのプログラム命令手段、特定の機能を行うための構成要素又は構成工程の組み合わせ、及び特定の機能を行うための手段の組み合わせをサポートする。更に、ブロック図及びフロー図の各ブロック、並びに、ブロック図及びフロー図におけるブロックの組み合わせは、特定された機能、構成要素又は構成工程を行う特殊用途向ハードウェア・ベースのコンピュータ・システム、若しくは、特殊用途向ハードウェア及びコンピュータ命令の組み合わせによって実現し得る。
【００４７】
本発明の特定の実施例は、現在、最も実用的であり、変化に富んだ実施例であるとみなされているものに関して説明してきたが、本発明は、本願記載の実施例に限定されるべきでなく、逆に、特許請求の範囲記載の範囲内に含まれる種々の修正、及び均等な構成を包含することを意図している。特定の用語は、本明細書及び特許請求の範囲において使用されているが、汎用的な意味合い及び説明的な意味合いで使用されているに過ぎず、限定の目的でない。
【００４８】
本発明の詳細な説明は、ベスト・モードを含む本発明の特定の実施例を記載し、更に、本発明の特定の実施例を当業者が実施すること（何れかの装置又はシステムを作り、使用し、組み入れられた何れかの方法を行うことを含む）を可能にするために、例示を用いている。本発明の特定の実施例の特許可能な範囲は請求項において画定しており、当業者が思いつく他の例を含み得る。前述の他の例は、請求項の文言と異ならない構造的要素を有する場合、又は、請求項の文言と実質的な差がない均等の構造的要素を含む場合、請求項の範囲内にあることを意図している。
【００４９】
例示的な実施例による実現形態を特定の実施例のコンテキストにおいて説明してきた。前述の実施例は、例証的であり、かつ、限定するものでないことを意味している。多くの変形、修正、追加、及び改良が考えられる。よって、単一のインスタンスとして本明細書及び特許請求の範囲において記載された構成部分について複数のインスタンスを設け得る。種々の構成部分、動作、及びデータ記憶装置間の境界は多少任意的であり、特定の動作は、特定の例証的な構成のコンテキストで示している。機能の他の割り当ても想定され、以下の請求項の範囲内に収まり得る。最後に、種々の構成において個別の構成部分として示した構造及び機能は、組み合わせた構造又は構成部分として実現し得る。前述及び他の変形、修正、追加、及び改良は、以下の請求項に記載された、本発明の範囲内に収まり得る。
【００５０】
以上の実施例に関し、更に、以下の項目を開示する。
【００５１】
（１）低オーバヘッドを有する低速ＰＨＹ構造を生成するために１つ又は複数のプロセッサにより、コンピュータ実行可能な命令を実行する方法であって、
１つ又は複数のトレーニング・フィールドを含むプリアンブルを生成する工程と、
データ・フィールドを生成する工程と、
前記プリアンブル及び前記データ・フィールドを、低速ＰＨＹ構造にグループ化する工程と、
ハードウェア伝送媒体を介した無線伝送用に前記低速ＰＨＹ構造を変換する工程と
を含む方法。
【００５２】
（２）（１）記載の方法であって、前記１つ又は複数のトレーニング・フィールドを生成する工程は低速ショート・トレーニング・フィールド（ＬＲ−ＳＴＦ）を生成する工程を含み、前記ＬＲ−ＳＴＦは少なくとも１つのレガシー・ショート・トレーニング・フィールド（Ｌ−ＳＴＦ）、及び前記Ｌ−ＳＴＦの１つ又は複数の反復を含み、前記Ｌ−ＳＴＦの反復の数は、前記ハードウェア伝送媒体の距離又は感度の要件に対応する方法。
【００５３】
（３）（１）記載の方法であって、前記１つ又は複数のトレーニング・フィールドを生成する工程は低速ロング・トレーニング・フィールド（ＬＲ−ＬＴＦ）を生成する工程を含み、前記ＬＲ−ＬＴＦは少なくとも１つのレガシー・ロング・トレーニング・フィールド（Ｌ−ＬＴＦ）、及び前記Ｌ−ＬＴＦの１つ又は複数の反復を含み、前記Ｌ−ＬＴＦの反復の数は、前記ハードウェア伝送媒体の距離又は感度の要件に対応する方法。
【００５４】
（４）（１）記載の方法であって、前記プリアンブル及びデータ・フィールドのグループ化により、ＩＥＥＥ８０２．１１ａｈのＰＨＹ構造と互換の低速ＰＨＹ構造がもたらされる方法。
【００５５】
（５）（１）記載の方法であって、前記データ・フィールドを生成する工程は、前記データ・フィールドにおいて長さフィールド情報を伝達する工程を含む方法。
【００５６】
（６）（１）記載の方法であって、前記プリアンブル及び前記データ・フィールドを低速ＰＨＹ構造にグループ化する工程は、１つ又は複数の変調符号化手法を前記プリアンブルに符号化する工程を含み、前記変調符号化手法は、２値位相シフト・キーイング（ＢＰＳＫ）又は直交位相シフト・キーイング（ＱＰＳＫ）の１つ又は複数を含む方法。
【００５７】
（７）（６）記載の方法であって、１つ又は複数の変調符号化手法を前記プリアンブルに符号化する工程は、交互の１つ又は複数のＬ−ＬＴＦフィールドを選択的にネゲートする工程を含む方法。
【００５８】
（８）システムであって、
１つ又は複数のセンシング装置若しくは情報装置と、
１つ又は複数のアンテナと、
データ及びコンピュータ実行可能な命令を記憶する少なくとも１つのメモリと、
前記少なくとも１つのメモリ及び前記１つ又は複数のセンシング装置若しくは情報装置にアクセスするよう構成され、
１つ又は複数のトレーニング・フィールドを含むプリアンブルを生成し、
前記１つ又は複数のセンシング装置若しくは情報装置に関連付けられた情報を含むデータ・フィールドを生成し、
前記プリアンブル及び前記データ・フィールドを、低速ＰＨＹ構造にグループ化し、
ハードウェア伝送媒体を介した無線伝送用に前記低速ＰＨＹ構造を変換する
ための前記コンピュータ実行可能な命令を実行するよう更に構成された少なくとも１つのプロセッサと
を含み、前記ハードウェア伝送媒体が前記１つ又は複数のアンテナのうちの少なくとも１つを含むシステム。
【００５９】
（９）（８）記載のシステムであって、前記１つ又は複数のトレーニング・フィールドは低速ショート・トレーニング・フィールド（ＬＲ−ＳＴＦ）を含み、前記ＬＲ−ＳＴＦは少なくとも１つのレガシー・ショート・トレーニング・フィールド（Ｌ−ＳＴＦ）、及び前記Ｌ−ＳＴＦの１つ又は複数の反復を含み、前記Ｌ−ＳＴＦの反復の数は、前記ハードウェア伝送媒体の距離又は感度の要件に対応するシステム。
【００６０】
（１０）（８）記載のシステムであって、前記１つ又は複数のトレーニング・フィールドは低速ロング・トレーニング・フィールド（ＬＲ−ＬＴＦ）を生成する工程を含み、前記ＬＲ−ＬＴＦは少なくとも１つのレガシー・ロング・トレーニング・フィールド（Ｌ−ＬＴＦ）、及び前記Ｌ−ＬＴＦの１つ又は複数の反復を含み、前記Ｌ−ＬＴＦの反復の数は、前記ハードウェア伝送媒体の距離又は感度の要件に対応するシステム。
【００６１】
（１１）（８）記載のシステムであって、前記データ・フィールドは長さフィールド情報を含むシステム。
【００６２】
（１２）（８）記載のシステムであって、前記プリアンブルは１つ又は複数の変調符号化手法を含み、前記変調符号化手法は、２値位相シフト・キーイング（ＢＰＳＫ）又は直交位相シフト・キーイング（ＱＰＳＫ）のうちの１つ若しくは複数を含むシステム。
【００６３】
（１３）（１２）記載のシステムであって、前記１つ又は複数の変調符号化手法は、交互の１つ又は複数のＬ−ＬＴＦフィールドを選択的にネゲートすることにより、前記プリアンブルに符号化されるシステム。
【００６４】
（１４）装置であって、
データ及びコンピュータ実行可能な命令を記憶するための少なくとも１つのメモリと、
前記少なくとも１つのメモリにアクセスするよう構成され、
１つ又は複数のトレーニング・フィールドを生成し、
１つ又は複数のセンシング装置又は情報装置に関連付けられた情報を含むデータ・フィールドを生成し、
プリアンブル及びデータ・フィールドを低速ＰＨＹ構造にグループ化し、
ハードウェア伝送媒体を介した無線伝送用に前記低速ＰＨＹ構造を物理信号に変換する
ための前記コンピュータ実行可能な命令を実行するよう更に構成された少なくとも１つのプロセッサと
を備える装置。
【００６５】
（１５）（１４）記載の装置であって、前記１つ又は複数のトレーニング・フィールドは低速ショート・トレーニング・フィールド（ＬＲ−ＳＴＦ）を含み、前記ＬＲ−ＳＴＦは少なくとも１つのレガシー・ショート・トレーニング・フィールド（Ｌ−ＳＴＦ）、及び前記Ｌ−ＳＴＦの１つ又は複数の反復を含み、前記Ｌ−ＳＴＦの反復の数は、前記ハードウェア伝送媒体の距離又は感度の要件に対応する装置。
【００６６】
（１６）（１４）記載の装置であって、前記１つ又は複数のトレーニング・フィールドは低速ロング・トレーニング・フィールド（ＬＲ−ＬＴＦ）を含み、前記ＬＲ−ＬＴＦは少なくとも１つのレガシー・ロング・トレーニング・フィールド（Ｌ−ＬＴＦ）、及び前記Ｌ−ＬＴＦの１つ又は複数の反復を含み、前記Ｌ−ＬＴＦの反復の数は、前記ハードウェア伝送媒体の距離又は感度の要件に対応する装置。
【００６７】
（１７）（１４）記載の装置であって、前記データ・フィールドは長さフィールド情報を含む装置。
【００６８】
（１８）（１４）記載の装置であって、前記プリアンブルは１つ又は複数の変調符号化手法を含み、前記変調符号化手法は、２値位相シフト・キーイング（ＢＰＳＫ）又は直交位相シフト・キーイング（ＱＰＳＫ）のうちの１つ若しくは複数を含む装置。
【００６９】
（１９）（１８）記載の装置であって、前記１つ又は複数の変調符号化手法は、交互の１つ又は複数のＬ−ＬＴＦフィールドを選択的にネゲートすることにより、前記プリアンブルに符号化される装置。
【００７０】
（２０）（１４）記載の装置であって、前記プリアンブル及びデータ・フィールドにより、ＩＥＥＥ８０２．１１ａｈのＰＨＹ構造と互換の低速ＰＨＹ構造が設けられる装置。
【００７１】
（２１）（１４）記載の装置であって、低速ＰＨＹ構造を備える物理信号を受信する受信器を更に備える装置。
【００７２】
（２２）コンピュータ読み取り可能なプログラム・コードを実施させたコンピュータ使用可能な媒体を備えるコンピュータ・プログラム・プロダクトであって、前記コンピュータ読み取り可能なプログラム・コードは、低オーバヘッドを有する低速ＰＨＹ構造を生成する方法を実現するために実行されるよう適合され、前記方法は更に、
１つ又は複数のトレーニング・フィールドを含むプリアンブルを生成する工程と、
データ・フィールドを生成する工程と、
前記プリアンブル及び前記データ・フィールドを低速ＰＨＹ構造にグループ化する工程と、
ハードウェア伝送媒体を介した無線伝送用に前記低速ＰＨＹ構造を変換する工程と
を含むコンピュータ・プログラム・プロダクト。
【００７３】
（２３）（２２）記載のコンピュータ・プログラム・プロダクトであって、前記１つ又は複数のトレーニング・フィールドを生成する工程は低速ショート・トレーニング・フィールド（ＬＲ−ＳＴＦ）を生成する工程を含み、前記ＬＲ−ＳＴＦは少なくとも１つのレガシー・ショート・トレーニング・フィールド（Ｌ−ＳＴＦ）、及び前記Ｌ−ＳＴＦの１つ又は複数の反復を含み、前記Ｌ−ＳＴＦの反復の数は、前記ハードウェア伝送媒体の距離又は感度の要件に対応するコンピュータ・プログラム・プロダクト。
【００７４】
（２４）（２２）記載のコンピュータ・プログラム・プロダクトであって、前記１つ又は複数のトレーニング・フィールドを生成する工程は低速ロング・トレーニング・フィールド（ＬＲ−ＬＴＦ）を生成する工程を含み、前記ＬＲ−ＬＴＦは少なくとも１つのレガシー・ロング・トレーニング・フィールド（Ｌ−ＬＴＦ）、及び前記Ｌ−ＬＴＦの１つ又は複数の反復を含み、前記Ｌ−ＬＴＦの反復の数は、前記ハードウェア伝送媒体の距離又は感度の要件に対応するコンピュータ・プログラム・プロダクト。
【００７５】
（２５）（２２）記載のコンピュータ・プログラム・プロダクトであって、前記プリアンブル及びデータ・フィールドのグループ化により、ＩＥＥＥ８０２．１１ａｈのＰＨＹ構造と互換の低速ＰＨＹ構造がもたらされるコンピュータ・プログラム・プロダクト。
【００７６】
（２６）（２２）記載のコンピュータ・プログラム・プロダクトであって、前記データ・フィールドを生成する工程は、前記データ・フィールドにおいて長さフィールド情報を伝達する工程を含むコンピュータ・プログラム・プロダクト。
【図１】
2015173510.tif 000003
【図２】
2015173510.tif 000004
【図３】
2015173510.tif 000005
【図４】
2015173510.tif 000006
【図５】
2015173510.tif 000007
【図６】
2015173510.tif 000008
【図７】
2015173510.tif 000009
【図８】
2015173510.tif 000010
【図９】
2015173510.tif 000011
【外国語明細書】
2015173510000001.pdf